(57)【要約】  透明体で湾曲した板状に形成された本体部１１と、本体部１１の下方で反対側に曲がって突出している庇部１７とを備えて構成されており、本体部１１は、前方に凸な球殻状に形成されており、上下方向の寸法が、左右方向の中央部で長くなっており端部に向かうにしたがって次第に小さくなっており、帽体３の開口平面ＰＬと庇部１７との交差角度が４５°以上９０°未満になっており、庇部１７の中央部での突出長さが１０ｍｍ〜８０ｍｍになっており、庇部１７の突出長さは、左右方向の中央部で長くなっており端部に向かうにしたがって次第に小さくなっているシールド板５である。
2012015035.tif 000002
【特許請求の範囲】
【請求項１】
着用者の頭部を保護する帽体に設置されて前記着用者の顔面を覆うシールド板において、
透明体もしくは半透明体で湾曲した板状に形成された本体部と、この本体部の下方で前記本体部とは反対側に曲がって突出している庇部とを備えて構成されており、
前記本体部は、前方に凸な球殻状に形成されており、上下方向の寸法が、左右方向の中央部で長くなっており、左右方向の端部に向かうにしたがって次第に小さくなっており、
前記帽体の開口平面と前記庇部との交差角度が４５°以上９０°未満になっており、前記庇部の左右方向の中央部での前記本体部からの突出長さが１０ｍｍ〜８０ｍｍになっており、前記庇部の前記本体部からの突出長さは、左右方向の中央部で長くなっており、左右方向の端部に向かうにしたがって次第に小さくなっていることを特徴とするシールド板。
【請求項２】
請求項１に記載のシールド板において、
前記帽体の開口平面と前記庇部との交差角度は、左右方向の中央部では５５°程度であり、左右方向の端部に向かうにしたがって次第に大きくなり５７°程度になった後、次第に小さくなって５２°程度になっていることを特徴とするシールド板。
【請求項３】
請求項１または請求項２に記載のシールド板において、
左右方向の中央部およびこの近くの部位では、前記本体部がほぼ上下方向に延びており、左右方向の端部およびこの近くの部位では、前記本体部の下端が外側に位置するように僅かに斜めに延びていることを特徴とするシールド板。
【請求項４】
請求項１〜請求項３のいずれか１項に記載のシールド板と、
前記帽体と、
前記シールド板が前記帽体に収納される収納位置と前記シールド板が前記着用者の顔面を覆う被覆位置との間を移動できるように、前記シールド板をガイドするガイド手段と、
を有することを特徴とする保護帽。
【発明の詳細な説明】
【技術分野】
【０００１】
本発明は、着用者の顔面を覆うシールド部材とこのシールド部材が設けられている保護帽に関する。
【背景技術】
【０００２】
従来、住宅の建築作業中に、釘打機で釘が跳ね返り作業者の目に刺さる等の事故対策として、作業者の目（顔の上部）を保護するシールド（シールド板）付き保護帽（ヘルメット）が知られている。シールド板の取り付け方式として、保護帽の帽体の外部に取り付ける方式と、保護帽の帽体の内部に収納自在に取り付ける方式とがあるが、外部取り付け式では、シールド板の設置忘れや作業の邪魔になるので、シールド板の不使用時にシールド板が帽体の内部に収納される内部取り付け式が好まれている。【０００３】
内部取り付け式の保護帽として、たとえば、特許文献１、特許文献２に記載の保護帽を掲げることができる。【０００４】
特許文献１に記載の保護帽は、衝撃吸収ライナとハンモックとの間に、３本の案内孔が形成されている支持板と、上記案内孔に係合部材を介して昇降自在に設けられた顔面保護板（シールド板）とから成る顔面保護板アセンブリを配置し、案内孔の下端部を外側より中央を下方に位置させ、支持板を撓ませて顔面保護板の位置調整を３段階に設定可能な構成にしている。【０００５】
特許文献２に記載の保護帽は、直線形状のガイド穴に組み付けたフロントシールド板と、一端をフロントシールド板と回動可能に組み付け他端をカーブ形状のガイド穴に組み付けた左右のサイドシールド板とを設け、フロントシールド板を下方に引き出すと、連係して左右のサイドシールド板が前方斜め下方に引き出される構成になっている。
【先行技術文献】
【特許文献】
【０００６】
【特許文献１】特開２００３−０４９３１６号公報
【特許文献２】特開２００３−２５３５１９号公報
【発明の概要】
【発明が解決しようとする課題】
【０００７】
上記従来のシールド板を備えた保護帽では、シールド板で、着用者の顔の上部（目の部位）や顔のサイドを覆うようになっているが、保護帽着用者の顔の下半分は覆われておらず、着用者の顔の下半分が露出して顔の下半分が無防備になっている。【０００８】
ところで、電気機器のメンテナンス等において、電気機器からごく僅かな確率でスパークが発生することがあり、着用者の顔全体をシールド板で覆って保護する必要がある。【０００９】
そこで、保護帽着用者の顔の全体を保護するものを考えることができるが、単に顔の全体を保護するたけであると、シールド板にぶつかった飛来物がシールド板で跳ね返り、この跳ね返ったものが着用者の首（頭と胴体とをつなぐ部分）にぶつかるおそれがある。【００１０】
本発明は、前記問題点に鑑みてなされたものであり、着用者の顔面のほぼ総てを覆うシールド部材を備えた保護帽において、シールド板にぶつかって跳ね返った飛来物が、保護帽の着用者の首にぶつかることを防止することができるシールド板や保護帽を提供することを目的とする。
【課題を解決するための手段】
【００１１】
第１のアスペクトの発明は、着用者の頭部を保護する帽体に設置されて前記着用者の顔面を覆うシールド板において、透明体もしくは半透明体で湾曲した板状に形成された本体部と、この本体部の下方で前記本体部とは反対側に曲がって突出している庇部とを備えて構成されており、前記本体部は、前方に凸な球殻状に形成されており、上下方向の寸法が、左右方向の中央部で長くなっており、左右方向の端部に向かうにしたがって次第に小さくなっており、前記帽体の開口平面と前記庇部との交差角度が４５°以上９０°未満になっており、前記庇部の左右方向の中央部での前記本体部からの突出長さが１０ｍｍ〜８０ｍｍ（10ｍｍ以上８０ｍｍ以下）になっており、前記庇部の前記本体部からの突出長さは、左右方向の中央部で長くなっており、左右方向の端部に向かうにしたがって次第に小さくなっているシールド板である。【００１２】
第２のアスペクトの発明は、第１のアスペクトのシールド板において、前記帽体の開口平面と前記庇部との交差角度は、左右方向の中央部では５５°程度であり、左右方向の端部に向かうにしたがって次第に大きくなり５７°程度になった後、次第に小さくなって５２°程度になっているシールド板である。【００１３】
第３のアスペクトの発明は、第１のまたは第２のアスペクトのシールド板において、左右方向の中央部およびこの近くの部位では、前記本体部がほぼ上下方向に延びており、左右方向の端部およびこの近くの部位では、前記本体部の下端が外側に位置するように僅かに斜めに延びているシールド板である。【００１４】
第４のアスペクトの発明は、第１〜第３のアスペクトのいずれかのシールド板と、前記帽体と、前記シールド板が前記帽体に収納される収納位置と前記シールド板が前記着用者の顔面を覆う被覆位置との間を移動できるように、前記シールド板をガイドするガイド手段とを有する保護帽である。
【発明の効果】
【００１５】
本発明によれば、着用者の顔面のほぼ総てを覆うシールド部材を備えた保護帽において、シールド板にぶつかって跳ね返った飛来物が、保護帽の着用者の首にぶつかることを防止することができるという効果を奏する。
【図面の簡単な説明】
【００１６】
【図１】シールド板が収納位置に位置している保護帽を、着用者が被ったときの斜視図である。
【図２】シールド板が収納位置に位置している保護帽を着用者が被ったときの正面図である。
【図３】シールド板が収納位置に位置している保護帽を着用者が被ったときの側面図である。
【図４】シールド板が被覆位置に位置している保護帽を着用者が被ったときの斜視図である。
【図５】シールド板が被覆位置に位置している保護帽を着用者が被ったときの正面図である。
【図６】シールド板が被覆位置に位置している保護帽を着用者が被ったときの側面図である。
【図７】保護帽の概略構成を示す分解斜視図である。
【図８】保護帽の概略構成を示す断面図である。
【図９】保護帽の正面図であって、図８におけるＩＸ矢視図である。
【図１０】保護帽の底面図であって、図８におけるＸ矢視図である。
【図１１】帽体とガイド部材との係合状態、帽体とあご紐やハンモックとの係合状態を示す図である。
【図１２】ガイド部材とシールド板との組立体を示す図であり、（ａ）は組立体の正面図であり、（ｂ）は、（ａ）におけるＸＩＩＢ矢視図である。
【図１３】ガイド部材とシールド板との組立体を示す図であり、（ａ）は図１２（ａ）におけるＸＩＩＩＡ矢視図であり、（ｂ）は、図１２（ｂ）におけるＸＩＩＩＢ−ＸＩＩＩＢ断面図である。
【図１４】ガイド部材におけるガイド部等の詳細を示す図であり、（ａ）は図１３（ｂ）におけるＸＩＶＡ部の拡大図であり、（ｂ）は（ａ）におけるＸＩＶＢ矢視図であって図１８（ｂ）におけるＸＩＶＢ部の拡大図である。
【図１５】帽体の概略構成を示す図であり、（ａ）は正面図であり、（ｂ）は（ａ）におけるＸＶＢ矢視図であり、（ｃ）は（ａ）におけるＸＶＣ矢視図である。
【図１６】帽体に設けられている側方部位被係合部を示す図であり、（ｃ）は（ａ）におけるＸＶＩＣ矢視図であり、（ｂ）は（ｃ）におけるＸＶＩＢ矢視図であり、（ｄ）は（ｂ）におけるＸＶＩＤ−ＸＶＩＤ断面を示す図である。
【図１７】帽体に設けられている中央部位被係合部を示す図であり、（ｂ）は（ａ）におけるＸＶＩＩＢ矢視図である。
【図１８】ガイド部材を示す図であり、（ａ）は正面図であり、（ｂ）は（ａ）におけるＸＶＩＩＩＢ矢視図である。
【図１９】ガイド部材を示す図であり、（ａ）は図１８（ａ）におけるＸＩＸＡ矢視図であり、（ｂ）は（ａ）におけるＸＩＸＢ−ＸＩＸＢ断面を示す図であり、（ｃ）は（ａ）におけるＸＩＸＣ−ＸＩＸＣ断面を示す図である。
【図２０】ガイド部材係止部を示す図であり、（ｃ）は（ａ）におけるＸＸＣ矢視図であり、（ｂ）は（ｃ）におけるＸＸＢ矢視図であり、（ｄ）は（ｂ）におけるＸＸＤ−ＸＸＤ断面を示す図であり、（ｇ）は（ｅ）におけるＸＸＧ矢視図であり、（ｆ）は（ｇ）におけるＸＸＦ矢視図であり、（ｈ）は（ｆ）におけるＸＸＨ−ＸＸＨ断面を示す図である。
【図２１】シールド板を示す図であり、（ａ）は正面図であり、（ｂ）は（ａ）におけるＸＸＩＢ矢視図であり、（ｃ）は（ｂ）におけるＸＸＩＣ矢視図であり、（ｄ）は（ｂ）におけるＸＸＩＤ−ＸＸＩＤ断面を示す図である。
【図２２】シールド板を示す図であり、（ａ）は図２１（ａ）におけるＸＸＩＩＡ矢視図であり、（ｂ）は図２１（ａ）におけるＸＸＩＩＢ−ＸＸＩＩＢ断面を示す図である。
【図２３】図２１（ａ）におけるＸＸＩＩＩ−ＸＩＩＩ断面を示す図である。
【図２４】シールド板の断面を示す図であって図２３に対応した図である。
【図２５】シールド板の具体的形状を示す図であり、(ｂ)は（ａ）におけるＸＸＶＢ矢視図であり、図２１（ｂ）と同様の図であり、（ｃ）は（ｂ）におけるＡ−Ａ断面を示す図であって図２２（ｂ）と同様の図である。
【図２６】シールド板の具体的形状を示す図であり、図２５（ｂ）におけるＡ−Ａ断面、Ｂ−Ｂ断面、Ｃ−Ｃ断面を示す図である。
【図２７】シールド板の具体的形状を示す図であり、図２５（ｂ）におけるＤ−Ｄ断面、Ｅ−Ｅ断面、Ｆ−Ｆ断面を示す図である。
【図２８】シールド板の保護機能の試験をしたときの、保護帽等の配置状態を示す図である。
【図２９】シールド板の保護機能の試験結果を示す図である。
【図３０】人頭模型を示す図である。
【発明を実施するための形態】
【００１７】
図１等で示すように、保護帽（シールド面付きヘルメット）１は、たとえば、ほぼ左右対称に形成されている帽体３とシールド板５とシールド板５をガイドするガイド手段７とを備えて構成されている。
【００１８】
なお、以下において、保護帽１（帽体３、シールド板５等）における各方向を、幅方向（左右方向）、前後方向、上下方向とし、「右」、「左」、「上」、「下」、「前」、「後」という文言を使用して説明する場合がある。上記各方向は、保護帽を起立（直立）している着用者が被った場合における方向であり、上記３つの各方向は、お互いにほぼ直交している。
【００１９】
帽体３は、図１５等で示すように、着用者の頭部を保護するためのものであり、たとえば、樹脂等の材料で構成されて、椀状（たとえば、半球殻状）に形成されている。
【００２０】
ここで、半球殻とは、所定の半径の第１の球から、この第１の球の半径よりも僅かに小さい半径で前記第１の球と中心が一致する第２の球を取り除いた形状の立体を、前記各球の中心もしくはこの近傍を通る平面で２分割したときに形成される一方の立体である。
【００２１】
帽体３は、「半球殻状」に形成されているのであって、完全な「半球殻」な形状に形成されているわけではない。すなわち、帽体３は、着用者の頭部の形状に合うようにする等のために、曲率半径が適宜変化している形状に形成されている。また、帽体３の開口部（淵；下側の端）９も、完全な円形ではなく、着用者の頭部の形状に合うようにする等のために、曲率半径が適宜変化している円形状に形成されている。
【００２２】
帽体３が半球殻状に形成されていることにより、直立している着用者が保護帽１を被った場合、帽体３の開口部９は、ほぼ水平になっており、開口部９は、着用者の耳よりも僅かに上側に位置しており、着用者の耳が露出している（図１〜図６参照）。なお、帽体３の開口部９の前側には、庇部１０が設けられている。
【００２３】
シールド板（面体；シールド部材）５は、着用者の顔面のほぼ総てを保護するためのものであり、樹脂等の透明（有色透明を含む）なもしくは半透明な材料で構成されている。
【００２４】
ガイド手段７は、シールド板５が帽体３に対して移動するときに、シールド板５をガイドする手段であり、ガイド手段７でガイドされることにより、シールド板５が、収納位置Ｐ１と被覆位置Ｐ３との間で、円弧状の軌跡を描いて移動するようになっている。収納位置Ｐ１は、シールド板５が、帽体３の前側内部に収納される位置であり、被覆位置Ｐ３は、シールド板５が、着用者の顔面（頭部の前面）のほぼ総てを覆う位置である。なお、保護帽１を直立している着用者が被り被覆位置Ｐ３にシールド板５を位置させた状態で、着用者の前方から見ると、着用者の耳がシールド板５で隠れているものとする。
【００２５】
ガイド手段７でガイドされるシールド板５は、帽体３から容易には分離されないようになっていると共に、保護帽１の左右方向に移動することは無く、保護帽１（帽体３）の左右方向に延びた所定の軸Ｃ１（図３、図６、図８参照）を回動中心として移動（回動）するようになっている。所定の軸Ｃ１は、着用者の耳の後方に部位を通って、帽体３の左右方向（図３、図６、図８の紙面に直交する方向）に延びている。
【００２６】
収納位置Ｐ１にシールド板５が位置している状態について詳しく説明すると、この状態で、シールド板５が帽体３の内部に完全に収容されているわけではなく、シールド板５の下端部（庇部１７が設けられている下端部）とこの近傍の部位が、帽体３の下端部（帽体３前側の開口部）９から下方に突出している。なお、庇（庇部）１７は、シールド板５の下端部で反転している。すなわち、庇部１７は、逆方向（着用者の顔面から離れる方向）に曲がって延出している。これにより、飛来物がシールド板（被覆位置Ｐ３にあるシールド板の本体部１１）５にあたっても（図６の矢印Ａ６参照）、飛来物がシールド板５の表面を滑って、着用者の体に接触する事態を回避することができる。
【００２７】
収納位置Ｐ１にシールド板５が位置している状態において、シールド板５の下端部やこの近傍の部位が帽体３の下端部９から下方に突出していても、着用者の邪魔になることはなく、着用者は、シールド板５の存在をその視界で意識することなく保護帽１を被ることができるようになっている。また、シールド板５の上端部は、帽体３の頂上部付近に位置している。
【００２８】
被覆位置Ｐ３にシールド板５が位置している状態では、シールド板５の下端部が、着用者の顎よりも下側に位置して、シールド板５が着用者の顔面のほぼ総てを覆っている。すなわち、正面から見た場合、シールド板５によって、着用者の顔面の総てが覆われている（図４〜図６参照）。また、シールド板５の上端部は、帽体３の下端部（帽体３の前側の開口部９）の近傍で帽体３の内部に位置している。
【００２９】
また、保護帽１には、シールド板５を保持する保持手段１３が設けられている。保持手段１３は、シールド板５が収納位置Ｐ１や被覆位置Ｐ３に位置しているときに、シールド板５が帽体３に対して容易に移動しないように、シールド板５を保持する手段である。
【００３０】
ここで、シールド板５についてよりに詳しく説明する。
【００３１】
シールド板５は、前述したように、着用者の頭部を保護する帽体３に設置されて着用者の顔面のたとえばほぼ総てを覆うものであり、透明体もしくは半透明体で湾曲した板状に形成されている。
【００３２】
シールド板５は、厚さ方向の一方の側が凹状で厚さ方向の他方の側が凸状である湾曲した板状に形成されている。そして、中央部から周辺部に向かうにしたがって、厚さが徐々に薄くなっている（図２２（ｂ）、図２３参照）。なお、シールド板５は、たとえば、アクリルやポリカーボネイト等の樹脂で構成されており、射出成形で成形されている。また、シールド板５は、ＡＮＳＩ規格に応じて、１．６ｍｍ〜２．０ｍｍ程度の厚さで形成されており、高速衝撃試験を施しても割れないようになっている。
【００３３】
シールド板５が湾曲した板状に形成されていることにより、着用者の顔面側であるシールド板５の内側の面（厚さ方向の一方の面）が凹状に形成されており、厚さ方向の他方の面である外側の面が凸状に形成されている。また、シールド板５は、左右方向の曲率半径が上下方向の曲率半径よりも小さく形成されており、左右方向における厚さの変化の割合が、上下方向における厚さの変化の割合よりも大きく形成されている（図２２（ｂ）、図２３参照）。なお、シールド板５の上下方向における円弧の中心は、たとえば、軸Ｃ１と一致している。一方、シールド板５の左右方向における円弧の中心Ｏ２は、たとえば、帽体３の開口部９の中心Ｏ１よりも僅かに（たとえば１０ｍｍから１５ｍｍ程度）前側に位置している（図１０参照）。
【００３４】
さらに、シールド板５は、図６等で示したように本体部１１と庇部１７とを備えて構成されており、本体部１１が、前述したように湾曲した板状に形成されている。シールド板５の本体部１１の凸面（凹面）は、所定の３次曲面に近似した所定形状に形成されている。上記所定の３次曲面は、軸方向の中央部が膨らんだ円柱状の形状である樽状の立体の側面を、前記軸を含む第１の平面と、前記軸を含んで前記第１の平面と所定の角度で交差する第２の平面とで切断したときに得られる４つの３次曲面のうちの１つの曲面である。
【００３５】
なお、図２１（ａ）で示すように、正面から見た場合、シールド板５の本体部１１の上端は、直線状に形成されており、シールド板５の本体部１１の下端は、下に凸な円弧状に形成されており、シールド板５の本体部１１の左右方向の両端は、外側に凸な円弧状に形成されている。
【００３６】
庇部１７は、上述したように、本体部１１の下方で本体部１１とは反対側に曲がって突出している。
【００３７】
より詳しく説明すると、庇部１７は、図２１（ａ）で示すように、正面から見た場合に三日月形状で板状に形成されており、三日月形状の凹状に形成されている部位がシールド板５の本体部１１の下端につながっている。そして、庇部１７が、本体部１１の下端から下方に突出して本体部１１と一体になっている。また、図６で示すように、直立している着用者が帽体３を被りシールド板５で着用者の顔面を覆ったとき、庇部１７は、この上端（本体部１１側の端）から下端に向かうにしたがって、着用者の顔面から離れる方向（前方）に突出している。
【００３８】
また、庇部１７の幅方向の中央部には、本体部１１の内側（後側；着用者の顔面側）に所定の幅で凹んでいる凹部１５が形成されている。
【００３９】
ここで、保護帽１を着用してシールド板５を出入りさせる動作について説明する。
【００４０】
まず、シールド板５が収納位置Ｐ１に位置している状態で、着用者が保護帽１を被る。シールド板５を被覆位置Ｐ３に位置させて作業をする必要がある場合には、シールド板５の下端部（たとえば庇部１７）を、下方に引っ張ってシールド板５を下方に移動させる。
【００４１】
一方、被覆位置Ｐ３に位置しているシールド板５を、収納位置Ｐ１に位置させる場合には、シールド板５を押し上げて上方に移動させる。
【００４２】
保護帽１によれば、シールド板５が、この中央部から周辺部に向かうにしたがって、厚さが徐々に薄くなっている構成であるので、着用者がシールド板５を介して正面を見た場合における光路長（シールド板内における光路長）と、着用者がシールド板５を介して周辺を見た場合とにおける光路長（シールド板内における光路長）との差を小さくすることができ、着用者がシールド板５の周辺部を介してものを見たときであっても、像の歪みを極力少なくすることができる。
【００４３】
すなわち、図２４に示すように、シールド板５における光路長Ｌ１１と光路長Ｌ２１との差が小さくなっており、光路長Ｌ１１と光路長Ｌ３１との差が小さくなっているので、像の歪みを極力少なくすることができる。
【００４４】
ここで、図２４に示す参照符号Ｆ０は、本実施形態に係るシールド板５の外側の面（凸面）を示しており、参照符号Ｆ１は、本実施形態に係るシールド板５の内側の面（凹面）を示している。これにより、本実施形態に係るシールド板５の厚さが、中央部から周辺部に向かうにしたがって、徐々に薄くなっている。一方、参照符号Ｆ０は、従来のシールド板の外側の面を示しており、参照符号Ｆ２は、従来のシールド板の内側の面を示しており、これにより、従来のシールド板の厚さは一定になっている。
【００４５】
参照符号Ｒ１は、正面から着用者の目ＥＹに入る光の光路を示しており、参照符号Ｒ２、Ｒ２ａは、側面側（シールド板の周辺部）から着用者の目ＥＹに入る光の光路を示しており、参照符号Ｒ３、Ｒ３ａは、さらなる側面側から着用者の目ＥＹに入る光の光路を示している。
【００４６】
正面から着用者の目ＥＹに入る光（光路Ｒ１の光）のシールド板５における光路長（本実施形態に係るシールド板５における光路長）Ｌ１１と光路長（従来のシールド板における光路長）Ｌ１２とは、お互いの長さが等しくなっている。
【００４７】
一方、空気の屈折率に比べてシールド板の屈折率が大きいので、スネルの法則により、側面側から着用者の目ＥＹに入る光（光路Ｒ２、Ｒ２ａの光）のシールド板における光路長（従来のシールド板における光路長）Ｌ２２に比べて、光路長（本実施形態に係るシールド板５における光路長）Ｌ２１が短くなっており、光路長Ｌ２１の長さは、光路長Ｌ１１の長さとほぼ等しくなっている。同様にして、光路長Ｌ３２に比べて、光路長Ｌ３１が短くなっており、光路長Ｌ３１の長さは、光路長Ｌ１１の長さとほぼ等しくなっている。これにより、像の歪みを極力少なくすることができるようになっている。
【００４８】
また、保護帽１によれば、シールド板５の左右方向における曲率半径が上下方向における曲率半径よりも小さく形成されており、左右方向における厚さの変化の割合が、上下方向における厚さの変化の割合よりも大きく形成されているので、着用者の顔面形態に合わせて、着用者がシールド板５の周辺部を介してものを見るときにおける像の歪みを極力少なくすることができる。
【００４９】
すなわち、シールド板５の上下方向の曲率半径が左右方向の曲率半径よりも大きく形成されているので、着用者の顔面の形状に適合して着用者の顔面を覆うことができる。また、シールド板５の上下方向の曲率半径が左右方向の曲率半径よりも大きくなっているので、シールド板５の上下方向における厚さの変化の割合を左右方向における厚さの変化の割合より小さくして、像の歪みを極力少なくしている。
【００５０】
また、保護帽１によれば、シールド板５の庇部１７が、本体部１１の下方で本体部１１とは反対側（逆方向；着用者の顔面から離れる方向）に曲がって突出しているので、上述したように、飛来物がシールド板５にあたっても、飛来物がシールド板５の表面を滑って、着用者の体に接触する事態を回避することができる。
【００５１】
すなわち、図６に矢印Ａ６で示すように、斜め上方から飛来してきた飛来物が、シールド板５の下方に浅い角度で衝突すると、衝突して跳ね返った飛来物がシールド板５の表面を滑って、着用者の首まで到達するおそれがある。なお、図６では、着用者が水平方向を向いているので、上記おそれは、少ないが、着用者が上方を向いて作業をしているときには、上記衝突して跳ね返った飛来物が、重力の影響で着用者の首まで到達するおそれが高くなる。しかし、庇部１７が設けられているので、上記衝突して跳ね返った飛来物が、庇部１７に再衝突し着用者から離れた箇所に落下するようになっており、着用者の首（少なくとも首であり、肩や腹等を含んでいてもよい。）まで到達する事態を回避することができる。
【００５２】
また、保護帽１によれば、凹部１５が設けられていることにより、保護帽１の着用者がシールド板５を操作しやすくなっている。
【００５３】
すなわち、たとえば、シールド板５が収納位置Ｐ１に存在している状態では、シールド板５の庇部１７に凹部１５が設けられているので、シールド板５の庇部１７と帽体３の庇部１０との間に、着用者が指を入れることができる隙間が形成されている。そして、収納位置Ｐ１に存在しているシールド板５を被覆位置Ｐ３に位置させる場合、上記隙間に着用者が指を入れてシールド板５を容易に下方に移動させて被覆位置Ｐ３に位置させることができる。
【００５４】
ここで、保護帽１についてさらに詳しく説明する。
【００５５】
図７で示すように、保護帽１は、帽体３とガイド手段７を構成するガイド部材５０９とシールド板５と衝撃吸収部材（衝撃吸収ライナ）５１３とあご紐５１５と内装体（ハンモック）５１７とを備えて構成されている。衝撃吸収部材５１３は、たとえば、発砲スチロールで椀状に形成されている。そして、帽体３の内側に、ガイド部材５０９とシールド板５との組立体５１１を設置した後、帽体３と組立体５１１との内側に衝撃吸収部材５１３を設置し、この後、あご紐５１５とハンモック５１７とを帽体３やガイド部材５０９に設置することにより、保護帽１が組立てられて生成されている。
【００５６】
保護帽１の帽体３は、帽体本体部５１９と帽体庇部１０とで構成されており、たとえば、２色成型されている。帽体本体部５１９は、不透明な樹脂で構成されており、帽体庇部１０は、透明（有色透明を含む）な樹脂もしくは半透明な樹脂で構成されている。
【００５７】
ガイド手段７は、図１２等で示すように、たとえば樹脂で構成されたガイド部材５０９に設けられたガイド部５２３と、透明もしくは半透明な樹脂で構成されたシールド板５に設けられた係合部５２５とを備えて構成されている。
【００５８】
ガイド部材５０９は、図１８、図１９等で示すように、球面状の曲面を備えて板状に形成された中央部位５２７を備えており、ガイド部５２３は、中央部位５２７に形成されている。また、ガイド部５２３は、シールド板５が、収納位置Ｐ１と被覆位置Ｐ３との間を移動するときにシールド板５をガイドすべく細長く形成されて複数設けられている。各ガイド部５２３は、お互いがほぼ平行になって幅方向（左右方向）で中央部位５２７の中央寄りに設けられている。
【００５９】
詳しく説明すると、中央部位５２７は、１／４の球殻状に形成されている。ここで、１／４の球殻（１／４球殻）とは、次のようにして形成される立体である。まず、所定の半径の第１の球から、この第１の球の半径よりも僅かに小さい半径で前記第１の球と中心が一致している第２の球を取り除いた形状の立体（球殻）を得る。
【００６０】
次に、前記球殻を、前記各球の中心もしくはこの近傍を通る第１の平面で２分割し、分割された２つの立体のうちの一方の立体である半球殻を得る。
【００６１】
次に、前記半球殻を、前記各球の中心もしくはこの近傍を通り前記第１の平面とほぼ直交する第２の平面で２分割し、分割された２つの立体のうちの一方の立体である１／４球殻を得る。なお、ガイド部材５０９は帽体３の内部（内側）に設置されるものであるので、ガイド部材５０９の中央部位５２７の曲率半径（上記第１の球の曲率半径）は、帽体３の曲率半径よりもわずかに小さくなっている。
【００６２】
中央部位５２７は、「１／４球殻状」に形成されているのであって、完全な「１／４球殻」の形状に形成されているわけではない。すなわち、中央部位５２７は、帽体３と同様にして、着用者の頭部の形状に合うようにするために、曲率半径が適宜変＋化している形状に形成されている。
【００６３】
中央部位５２７の端部も、完全な円弧ではなく、着用者の頭部の形状に合うようにするために、曲率半径が適宜変化している円弧状に形成されている。ここで、中央部位５２７の端部とは、上記第１の平面での分割により形成された円弧状（半円弧状）の部位（第１の半円状端部曲線５２９）と、上記第２の平面での分割により形成された円弧状（半円弧状）の部位（第２の半円状端部曲線５３１）とをいう。
【００６４】
第１の半円状端部曲線５２９は、たとえば、上記第１の平面上にほぼ位置していて、前記第１の平面と直交する方向での凹凸がほとんど存在しない形態になっている。なお、中央部位５２７が厚さ（上記第１の球の半径と上記第２の球の半径との差）を備えているので、第１の半円状端部曲線５２９は、より正確には、第１の半円状端部曲面であると言える。
【００６５】
第２の半円状端部曲線５３１は、たとえば、前記第２の平面と直交する方向で前記第２の平面からわずかに出入りしている。つまり、前記第２の平面と直交する方向でわずかな凹凸が存在している。なお、第１の半円状端部曲線５２９の場合と同様にして、第２の半円状端部曲線５３１も、より正確には、第２の半円状端部曲面であると言える。
【００６６】
ガイド部材５０９が帽体３に設置された状態では、図８等で示すように、ガイド部材５０９の中央部位５２７は、帽体３の前方の内側で、帽体３からわずかに離れて、帽体３に一体的に設けられている。これにより、帽体３と中央部位５２７との間には、帽体３の厚さや中央部位５２７の厚さよりも厚い所定の厚さの１／４球殻状の空間５３３が形成されており、この１／４球殻状の空間５３３に、シールド板（収納位置Ｐ１に位置しているシールド板）５が入り込むようになっている。
【００６７】
さらに説明すると、第１の半円状端部曲線５２９は、帽体３の内壁からわずかに離れしかも帽体３の内壁に沿い、帽体３の下端に位置している円形状の縁の左端の近傍から、帽体３の真上の近傍を通って、帽体３の下端に位置している円形状の縁の右端の近傍にまで延びている。つまり、第１の半円状端部曲線５２９は、着用者の左耳の上方から、着用者の頭頂部の近傍を通って、着用者の右耳の上方まで延びている。
【００６８】
また、第２の半円状端部曲線５３１は、帽体３の下端で前側に位置している前側半円状の縁からわずかに離れしかも帽体３の前側半円状の縁に沿い、帽体３の下端に位置している円形状の縁の左端の近傍から、帽体３の縁の前端の近傍を通って、帽体３の下端に位置している円形状の縁の右端の近傍にまで延びている。つまり、第２の半円状端部曲線５３１は、着用者の左耳の上方から、着用者の額の近傍を通って、着用者の右耳の上方まで延びている。
【００６９】
ガイド部材５０９の中央部位５２７に設けられているガイド部５２３は、図１８（ｂ）等で示すように、たとえば、３つ設けられている。各ガイド部５２３は、たとえばそれぞれが長円状の貫通孔（厚さ方向で中央部位５２７を貫通している貫通孔）５３５，５３７，５３９で構成されており、幅方向では中央部位５２７の中央と左側と右側とに設けられている。
【００７０】
中央部位５２７の中央に設けられているガイド部５２３（貫通孔５３５）は、第２の半円状端部曲線５３１の中央の近傍から、第１の半円状端部曲線５２９の中央の近傍まで形成されている。つまり、中央に設けられている貫通孔５３５は、横方向（幅方向；左右方向）では中央の位置を保ったまま、着用者の額の中央の近傍から、着用者の前頭部の中央を通って、着用者の頭頂部の近傍まで延びている。
【００７１】
左側のガイド部５２３（貫通孔５３７）は、中央に設けられている貫通孔５３５と平行に設けられており、第２の半円状端部曲線５３１の左側の斜め前方部位の近傍から、第１の半円状端部曲線５２９の左側の斜め上方部位の近傍まで形成されている。つまり、左側に設けられている貫通孔５３７は、着用者の額の斜め左前方部位の近傍から、着用者の前頭部の斜め左前方部位を通って、着用者の頭頂部の斜め左上方部位の近傍まで延びている。
【００７２】
右側のガイド部５２３（貫通孔５３９）は、中央に設けられている貫通孔５３５を間にして、左側に設けられている貫通孔５３７と対称に設けられている。すなわち、右側の貫通孔５３９は、ガイド部材５０９の中心を通り上下前後方向に展開している平面に対して、左側の貫通孔５３７と対称に設けられている。
【００７３】
ここで、３つのガイド部５２３（貫通孔５３５，５３７，５３９）の位置関係についてさらに詳しく説明する。説明の便宜のため、ガイド部材５０９の各側方部位５４１，５４３（図１８等参照）の存在を無視する（ガイド部材５０９の各側方部位５４１，５４３は、仮に存在していないものとする）。
【００７４】
３つの貫通孔５３５，５３７，５３９の各延長線（長円状の貫通孔５３５，５３７，５３９の幅方向の中心線であって貫通孔５３５，５３７，５３９の長手方向に延伸している中心線）と、第２の半円状端部曲線５３１との交点とを、それぞれ、下部左側交点５４５、下部中央交点５４７、下部右側交点５４９とする（図１８（ａ）、（ｂ）、図１９（ａ）参照）。
【００７５】
こうすると、第２の半円状端部曲線５３１の左端（第１の半円状端部曲線５２９の左端と一致している左端；図１８（ａ）参照）５５１と下部左側交点５４５との間の距離（第２の半円状端部曲線５３１上の道のり）が、下部左側交点５４５と下部中央交点５４７との間の距離（第２の半円状端部曲線５３１上の道のり）と等しいかもしくはわずかに大きくなっている。
【００７６】
また、同様にして、第２の半円状端部曲線５３１の右端（第１の半円状端部曲線５２９の右端と一致している右端；；図１８（ａ）参照）５５３と下部右側交点５４９との間の距離（第２の半円状端部曲線５３１上の道のり）が、下部右側交点５４９と下部中央交点５４７との間の距離（第２の半円状端部曲線５３１上の道のり）と等しいかもしくはわずかに大きくなっている。
【００７７】
また、３つの貫通孔５３５，５３７，５３９の各延長線と、第１の半円状端部曲線５２９との交点とを、図１８（ｂ）で示すように、それぞれ、上部左側交点５５５、上部中央交点５５７、上部右側交点５５９とする。
【００７８】
こうすると、第１の半円状端部曲線５２９の左端５５１と上部左側交点５５５との間の距離（第１の半円状端部曲線５２９上の道のり）が、上部左側交点５５５と上部中央交点５５７との間の距離（第１の半円状端部曲線５２９上の道のり）と等しいかもしくはわずかに大きくなっている。
【００７９】
また、同様にして、第１の半円状端部曲線５２９の右端５５３と上部右側交点５５９との間の距離（第１の半円状端部曲線５２９上の道のり）が、上部右側交点５５９と上部中央交点５５７との間の距離（第１の半円状端部曲線５２９上の道のり）と等しいかもしくはわずかに大きくなっている。
【００８０】
このように、ガイド部５２３が設けられていることにより、ガイド部５２３（貫通孔５３５，５３７，５３９）は、中央部位５２７の中央部側（幅方向で中央部寄り）で上下前後方向に延びて設けられていることになる。
【００８１】
なお、中央のガイド部５２３（貫通孔５３５）を削除してガイド部５２３を２つにした構成であってもよいし、中央のガイド部５２３（貫通孔５３５）を２つにし、一方のガイド部を中央よりもわずかに左側に移し、他方のガイド部を中央よりもわずかに右側に移すことにより、ガイド部（長円状の貫通孔）を４つ設けた構成であってもよい。さらには、上下前後方向に長く延びているガイド部を中央部位５２７の中央側（幅方向で中央より）に、５つ以上の複数設けた構成であってもよい。
【００８２】
また、ガイド部材５０９は、前述した中央部位５２７と板状の第１の側方部位（左側の側方部位）５４１と、板状の第２の側方部位（右側の側方部位）５４３とを備えて構成されている。第１の側方部位５４１は、中央部位５２７の幅方向の一端部側（左側）であって中央部位５２７の下側で、中央部位５２７に一体で設けられている。第２の側方部位５４３は、中央部位５２７の幅方向の他端部側（右側）であって中央部位５２７の下側で、中央部位５２７に一体で設けられている。
【００８３】
そして、一対の中央部位係合部５６１（図１８（ｂ）等参照）が一対の中央部位被係合部５６３（図１５（ｃ）参照）に係合し、左側の第１の側方部位係合部５６５（図１８（ａ）参照）が第１の側方部位被係合部５６７（図１５（ｃ）参照）に係合し、右側の第２の側方部位係合部５６９（図１８（ａ）参照）が第２の側方部位被係合部５７１（図１５（ｃ）参照）に係合して、ガイド部材５０９が帽体３に一体的に設けられるように構成されている。
【００８４】
一対の中央部位係合部５６１は、各側方部位５４１，５４３の近傍で中央部位５２７に形成されており、一対の中央部位被係合部５６３は、帽体３の側方に設けられている。第１の側方部位係合部５６５は、第１の側方部位５４１に設けられており、第１の側方部位被係合部５６７が帽体３の左斜め後側に設けられている。第２の側方部位係合部５６９は、第２の側方部位５４３に設けられており、第２の側方部位被係合部５７１が帽体３の右斜め後側に設けられている。
【００８５】
より詳しく説明すると、第１の側方部位５４１は、図１８等で示すように、中央部位５２７とほぼ同じ厚さで短い帯状に形成されている。そして、第１の側方部位５４１の長手方向の一端部が、第１の半円状端部曲線５２９の下端部側（左下端部側）に接続されている。また、第２の側方部位５４３は、ガイド部材５０９の中心を通り上下前後方向に展開している平面に対して、第１の側方部位５４１と対称に設けられている。これにより、中央部位５２７の第２の半円状端部曲線５３１の左側のほぼ延長線上に、第１の側方部位５４１の幅方向の一端部（下端部）が位置しており、中央部位５２７の第２の半円状端部曲線５３１の右側のほぼ延長線上に、第２の側方部位５４３の幅方向の一端部（下端部）が位置している。
【００８６】
ガイド部材５０９は、帽体３に対して着脱自在になっており、ガイド部材５０９の中央部位５２７に形成されている一対の中央部位係合部５６１が帽体３に設けられている一対の中央部位被係合部５６３に係合することにより、帽体３に設置されたガイド部材５０９が、帽体３から容易には分離しないようになっている。
【００８７】
たとえば、中央部位係合部５６１は、剛体とみなされる第１の中央部位係合部（中央部位５２７からこの外側にわずかに突出している突起）５７３（図１８（ａ）参照）と、弾性を備えた第２の中央部位係合部５７５（図１８（ａ）参照）とで構成されている。中央部位被係合部５６３は、剛体とみなされる部位（帽体３の内壁から帽体３の内側にわずかに突出している突起；図１５（ｃ）、図１７参照）５７７で構成されている。
【００８８】
そして、ガイド部材５０９を帽体３に設置するとき（第１の中央部位係合部５７３を中央部位被係合部５６３に係合させるとき）には、第２の中央部位係合部５７５が、帽体３（中央部位被係合部５６３やこの周辺）に当接して弾性変形し、ガイド部材５０９を帽体３に設置し終えたとき（第１の中央部位係合部５７３を中央部位被係合部５６３に係合させ終えたとき）には、第２の中央部位係合部５７５が復元するようになっている。この復元した第２の中央部位係合部５７５により、帽体３に一旦設置されたガイド部材５０９が、帽体３から容易には分離しないようになっている。
【００８９】
すなわち、シールド板５を移動するとき等、帽体３やガイド部材５０９やシールド板５に外力がかかった場合であっても、ガイド部材５０９が帽体３から容易には分離しないようになっている。なお、中央部位係合部５６１や中央部位被係合部５６３は、シールド板５とは干渉しない位置に設けられている。なお、図１１（ａ）は、ガイド部材５０９の中央部位係合部５６１が帽体３の中央部位被係合部５６３に係合した状態を示す図である。
【００９０】
帯状の第１の側方部位５４１や帯状の第２の側方部位５４３の長さの値は、第２の半円状端部曲線５３１の長さの半分の値よりもわずかに小さくなっている。第１の側方部位係合部５６５は、図１８（ａ）等で示すように、厚さ方向で第１の側方部位５４１を貫通している２つの貫通孔５７９，５８１で構成されている。
【００９１】
第１の側方部位係合部５６５を構成している２つの貫通孔５７９，５８１のうちの一方の貫通孔（後方貫通孔）５８１は、第１の側方部位５４１の先端部（第１の側方部位５４１の長手方向で中央部位５２７とは反対側の端部）の近傍に設けられており、第１の側方部位係合部５６５を構成している２つの貫通孔５７９，５８１のうちの他方の貫通孔（前方貫通孔）５７９は、第１の側方部位５４１の長手方向で中央部位係合部５６１と後方貫通孔５８１との間（たとえば、ほぼ中央部）に設けられている。
【００９２】
第２の側方部位係合部５６９も第１の側方部位係合部５６５の場合と同様にして、後方貫通孔５８１と前方貫通孔５７９とで構成されており、第２の側方部位係合部５６９の各貫通孔５７９，５８１は、ガイド部材５０９の中心を通り上下前後方向に展開している平面に対して、第１の側方部位係合部５６５の各貫通孔５７９，５８１と対称に設けられている。
【００９３】
第１の側方部位被係合部５６７は、図１５（ｃ）や図１６で示すように、帽体３の開口部（下端部の縁）の近傍で帽体３の内壁から帽体３の内側にわずかに突出している２つの突起（前側突起と後側突起）５８３で構成されている。第２の側方部位被係合部５７１は、帽体３の中心を通り上下前後方向に展開している平面に対して、第１の側方部位被係合部５６７と対称に設けられている。すなわち、各側方部位被係合部５６７，５７１は、２つの前側突起５８３と２つの後側突起５８３とで構成されている。
【００９４】
第１の側方部位被係合部５６７に第１の側方部位係合部５６５が係合した状態では、第１の側方部位５４１が帽体３の内壁に当接している。また、第１の側方部位被係合部５６７に第１の側方部位係合部５６５が係合した状態では、ガイド部材５０９（第１の側方部位５４１）は、帽体３に対して上下方向の移動が規制されており、帽体３に対して帽体３の前後方向（帽体３の内周の方向）にはわずかに移動できるようになっており、帽体３の厚さ方向では、帽体３の内側には移動できるようになっている。なお、帽体３の厚さ方向での移動は、ハンモック５１７を帽体３に設置することによって規制されるように構成されている。第２の側方部位被係合部５７１に第２の側方部位係合部５６９が係合した状態も、第１の側方部位被係合部５６７に第１の側方部位係合部５６５が係合した状態と同様になっている。
【００９５】
帽体３にガイド部材５０９を設置し終えた状態では、第１の側方部位被係合部５６７に第１の側方部位係合部５６５が係合し、第２の側方部位被係合部５７１に第２の側方部位係合部５６９が係合し、中央部位被係合部５６３に中央部位係合部５６１が係合している。そして、ガイド部材５０９が帽体３に堅固に設置されている。
【００９６】
また、帽体３にガイド部材５０９を設置し終えた状態では、ガイド部材５０９の下側の縁（第２の半円状端部曲線５３１と各側方部位５４１，５４３の下端部）は、帽体３の縁（開口部）の内側近傍で帽体３の縁に沿って延びている。さらに、帽体３にガイド部材５０９を設置し終えた状態で、帽体３やガイド部材５０９を下側から上側に向かって見ると、帽体３の縁は、ほぼ円環状（前後方向の径が幅方向の径よりも大きい円環状）に形成されている。これに対して、ガイド部材５０９は、後方のわずかの部位でつながっていない（各側方部位５４１，５４３の先端部同士がわずかに離れている）馬蹄形状に形成されている。なお、ガイド部材５０９が帽体３の縁と同様にして円環状になる構成であってもよい。
【００９７】
第１の側方部位被係合部５６７のところや第２の側方部位被係合部５７１のところには、これらの被係合部５６７，５７１を構成している突起５８３よりも突出量（帽体３の内側への突出量）が大きい突起で構成された係止部（４つの突起で構成された帽体係止部）５８５が形成されている（図１５（ｃ）、図１６参照）。帽体係止部５８５はハンモック５１７を係止するための部位である。
【００９８】
ガイド部材５０９の中央部位５２７の内側であって、第２の半円状端部曲線５３１の近くには、帽体係止部５８５と同様に構成された係止部（４つの突起で構成されたガイド部材係止部）５８７が形成されている（図１８（ｂ）、図２０参照）。ガイド部材係止部５８７も、ハンモック５１７を係止するための部位である。
【００９９】
ガイド部材５０９のガイド部材係止部５８７は、ガイド部材５０９の中心を通り上下前後方向に展開している平面に対して対称に設けられている。これらにより、帽体３にガイド部材５０９を設置し終えた状態では、係止部５８５，５８７が合計で８箇所に設けられていることになる。
【０１００】
そして、帽体３にガイド部材５０９を設置し終えた状態で、帽体係止部５８５とガイド部材係止部５８７とに、ハンモック５１７の被係止部５８９を係止して、ハンモック５１７を帽体３に設置し終えたときに、ガイド部材５０９の各側方部位５４１，５４３が、帽体３とハンモック５１７の被係止部５８９とに挟まれて、ガイド部材５０９の各側方部位５４１，５４３が帽体３の内壁に接して、前述したように、ガイド部材５０９の各側方部位５４１，５４３が帽体３に対してほぼ固定されて設置されるようになっている（図１１（ｂ）、図１１（ｃ）参照）。
【０１０１】
各側方部位５４１，５４３の角部が丸められて形成されている。すなわち、第１の側方部位５４１や第２の側方部位５４３の長手方向の先端部（中央部位５２７とは反対側の端部）の２箇所の角部（上下方向では両端部に位置している角部）の外形線が、側方部位５４１，５４３の厚さ方向から見た場合、１／４の円弧状に形成されている（図１８（ａ）の参照符号５９１を参照）。さらに、側方部位５４１，５４３の他の部位（長手方向の中間部であって上下方向では下端部）でも、角部が丸められて形成されている（図１８（ａ）の参照符号５９３を参照）。
【０１０２】
各側方部位５４１，５４３の角部が丸められて形成されていることにより、応力集中によるガイド部材５０９の破損を防止することができ、また、ガイド部材５０９による帽体３やシールド板５や保護帽１の着用者への傷付きを防止することができる。
【０１０３】
ところで、ガイド部材５０９のガイド部５２３は、前述しように、たとえば、３つ長円状の貫通孔５３５，５３７，５３９で構成されている。これに応じて、シールド板５の係合部５２５は、３つの円柱状の部位５９５で構成されている（図１４を参照）。
【０１０４】
そして、係合部５２５を構成している円柱状の部位５９５のそれぞれが、ガイド部材５０９のガイド部５２３を構成している３つの貫通孔５３５，５３７，５３９のそれぞれに係合することにより（円柱状の部位５９５が貫通孔５３５，５３７，５３９に入り込むことにより）、シールド板５がガイドされて、収納位置Ｐ１と被覆位置Ｐ３との間で移動するようになっている。
【０１０５】
詳しく説明をすると、長円状の貫通孔５３５，５３７，５３９の幅Ｂ５０１は、円柱状の部位５９５の外径Ｄ５０１よりもごくわずかに大きくなっている（図１４（ｂ）参照）。また、円柱状の部位５９５の両端部には、外径が円柱状の部位５９５の外径よりも大きい円板状のフランジ部５９９，６０１が一体で設けられていることにより、係合部材５９７が形成されている（図１４（ａ）参照）。
【０１０６】
シールド板５の上端部には、図２１（ａ）で示すように、係合部材５９７を設置するための半円板状の設置部６０３が一体で設けられている。半円板状の設置部６０３の中央部には、半円板状の設置部６０３をこの厚さ方向で貫通している貫通孔（内径が係合部材５９７の円柱状部位５９５の外径Ｄ５０１よりもわずかに大きい貫通孔）６０５が形成されている。なお、設置部６０３や貫通孔６０５は、ガイド部材５０９の３つの貫通孔５３５，５３７，５３９に対応して３箇所に設けられている。
【０１０７】
そして、円柱状部位５９５の両端部に設けられている各フランジ部５９９，６０１の間に、シールド板５の設置部６０３とガイド部材５０９の中央部位５２７とが入り込んで、各フランジ部５９９，６０１でシールド板５の設置部６０３とガイド部材５０９の中央部位５２７とが挟み込まれ、円柱状部位５９５がガイド部５２３の長円状の貫通孔５３５，５３７，５３９と設置部６０３の円形の貫通孔６０５とを貫通している。これにより、帽体３やガイド部材５０９に対してシールド板５が移動するとき、シールド板５は、ガイド部５２３を構成している貫通孔５３５，５３７，５３９のほぼ長手方向にのみ移動するようになっている。
【０１０８】
なお、円柱状部位５９５と各フランジ部５９９，６０１とで構成されている係合部材（フランジ付部材）５９７は、一方の端部にフランジ部５９９を備えた第１の筒状部材６０７と他方の端部にフランジ部６０１を備えた第２の筒状部材６０９と、各筒状部材６０７，６０９の中心軸に沿って貫通しカシメによって各筒状部材６０７，６０９を一体化しているリベット６１１とで構成されている。
【０１０９】
シールド板５が収納位置Ｐ１に位置している状態では、フランジ付部材５９７の円柱状の部位５９５が、各長円状の貫通孔５３５，５３７，５３９の上端部に当接している。一方、シールド板５が被覆位置Ｐ３に位置している状態では、フランジ付部材５９７の円柱状の部位５９５が、各長円状の貫通孔５３５，５３７，５３９の下端部に当接している。
【０１１０】
また、保護帽１には、シールド板５が収納位置Ｐ１や被覆位置Ｐ３に位置している状態を保持するための保持手段１３が設けられている。ここで、保持手段１３について詳しく説明する。
【０１１１】
ガイド部５２３を形成している３つの長円状の貫通孔５３５，５３７，５３９のうちで左右の側に存在している２つの長円状の貫通孔５３７，５３９の幅は、一定になっている。一方、ガイド部５２３を形成している３つの長円状の貫通孔５３５，５３７，５３９のうちで中央に存在している長円状の貫通孔５３５は、この長手方向の端部の近傍で、幅がごくわずかに小さくなっている（図１４（ｂ）参照）。これにより、シールド板５が収納位置Ｐ１や被覆位置Ｐ３でこの位置を維持できるようになっている。
【０１１２】
さらに詳しく説明すると、図１４（ｂ）で示すように、ガイド部材５０９の中央に存在している長円状の貫通孔（中央貫通孔）５３５の上端部位６１５は円弧で馬蹄形状に形成されている。円弧状で馬蹄形状に形成されている上端部位６１５の円弧の直径Ｄ５０３は、フランジ付部材５９７の円柱状部位５９５の外径Ｄ５０１と等しいかごくわずかに大きくなっている。
【０１１３】
上端部位６１５の両端部６１７同士の距離（円弧状で馬蹄形状の上端部位６１５の出口における幅方向の距離）Ｌ５０１は、フランジ付部材５９７の円柱状部位５９５の外径Ｄ５０１よりもわずかに小さくなっている。そして、長円状の中央貫通孔５３５の長手方向の中間部に位置しているフランジ付部材５９７が、長円状の中央貫通孔５３５の上端部位６１５まで移動するときに、フランジ付部材５９７の円柱状部位５９５が、上端部位６１５の両端部６１７に接触して、ガイド部材５０９の一部が弾性変形し、両端部６１７間の距離Ｌ５０１が、円柱状部位５９５の外径Ｄ５０１の値まで大きくなるように構成されている。さらに、フランジ付部材５９７を移動して、フランジ付部材５９７の円柱状部位５９５が上端部位６１５に位置すると、各両端部６１７が復元し、フランジ付部材５９７の位置が保持されるようになっている。
【０１１４】
両端部６１７と、両端部６１７から長円状の貫通孔５３５の下端側に所定の距離だけ離れている離間部位６１９との間では、この離間部位６１９から両端部６１７に向かうにしたがって、長円状の貫通孔５３５の幅が少しずつ次第に狭くなっている。すなわち、離間部位６１９と両端部６１７との間にはテーパ部６２１が形成されている。これにより、シールド板５を被覆位置Ｐ３から収納位置Ｐ１に移動するときに、フランジ付部材５９７の円柱状部位５９５が馬蹄形状の上端部位６１５の両端部６１７にいきなり当接することがなくなり、上端部位６１５の両端部６１７の損傷を防止することができる。
【０１１５】
なお、長円状の貫通孔５３５の下端部側も上端部側と同様なテーパ部等を備えて形成されている。また、馬蹄形状の両端部６１７の弾性変形をしやすくするために、馬蹄形状の両端部６１７の外側の近傍には、一対の貫通孔（ガイド部材５０９の中央部位５２７をこの厚さ方向で貫通している円形状の２つの貫通孔）６２３が設けられている。
【０１１６】
なお、上記貫通孔６２３を、長円状の貫通孔５３５の上端部側に設けることに代えてもしくは加えて、長円状の貫通孔５３５の下端部側に設けてあってもよい。
【０１１７】
さらに、上述した保持手段１３等を、中央の長円状の貫通孔５３５に設けることに代えてもしくは加えて、左右の長円状の貫通孔５３７，５３９に設けた構成であってもよい。
【０１１８】
ところで、ガイド部材５０９の中央部位５２７に設けられている長円状の貫通孔５３５，５３７，５３９の周辺には、図１９（ａ）等で示すように、中央部位５２７の内側にわずかに凹んだ凹部６２５が設けられている。この凹部６２５は所定の幅を備えて、各長円状の貫通孔５３５，５３７，５３９を囲むように設けられている。また、上述したようにシールド板５の上端部に設けられている設置部６０３も、シールド板５の内側にわずかに凹んで設けられている（図２１（ｂ）、図２２参照）。これらの３つの凹部６２５の近傍であって、ガイド部材５０９の中央部位５２７の第２の半円状端部曲線５３１のところには、３つの突起６２７が設けられている。これらの３つの突起６２７は、ガイド部材５０９の中央部位５２７の厚さ方向で中央部位５２７の前側（外側）に突出している。
【０１１９】
３つの貫通孔５３５，５３７，５３９に対応して設けられた３つのフランジ付部材５９７を用いてガイド部材５０９にシールド板５を設置した状態では、シールド板５の上端部の３箇所が、フランジ付部材５９７を介して、ガイド部材５０９に支持されており、シールド板５の上端部に設けられている設置部６０３が、中央部位５２７に設けられている凹部６２５に入り込んでいると共に、シールド板５の内側の面が中央部位５２７の各突起６２７に、たとえば、詳しくは後述するパッキン６３１を間にして間接的に当接している。
【０１２０】
さらに、シールド板５が設置されたガイド部材５０９を帽体３に設置した状態では、シールド板５の外側の面と帽体３の前側の半円弧状の縁との間にはわずかな間隙６２９が形成されている（図８参照）。
【０１２１】
これにより、常態（直立している着用者が保護帽１を単に被っている状態）では、シールド板５の上端部の３箇所が、フランジ付部材５９７を介して、ガイド部材５０９に支持されており、さらに、シールド板５の内側の面が中央部位５２７の突起６２７に、たとえば、詳しくは後述するパッキン６３１を間にして間接的に当接し、シールド板５がガイド部材５０９に支持されており、シールド板５が、収納位置Ｐ１と被覆位置Ｐ３との間で円弧状の移動をするようになっている。
【０１２２】
また、シールド板５が設置されたガイド部材５０９を帽体３に設置した状態で、シールド板５の下端を持ち上げる方向もしくはシールド板５を着用者の顔面から離す方向の外力が、シールド板５にかかった場合、シールド板５の外側の面と帽体３の前側の円弧状の縁との間にはわずかな間隙６２９がなくなり、シールド板５の外側の面が帽体３の前側の円弧状の縁に、たとえば、詳しくは後述するパッキン６３１を間にして間接的に当接し、上記外力によるシールド板５の回動が規制されるようになっている。
【０１２３】
すなわち、シールド板５は、この上端部の設置部６０３でガイド部材５０９に係合している。また、シールド板５は、この下側の部位（帽体３の着用者の顔面を覆う部位）で、突起６２７と帽体３の前側の半円弧状の縁とに挟まれて突起６２７と帽体３の前側の半円弧状の縁とのいずれかに係合している。そして、シールド板５が大きくがたつくことが防止されている。
【０１２４】
なお、上述した係合する部位以外のシールド板５の部位は、ガイド部材５０９や帽体３とはわずかな隙間を隔てて対向している。
【０１２５】
ガイド部材５０９の中央部位５２７に設けられている３つの突起６２７およびこの周辺と、間隙６２９を形成している帽体３の縁とこの近傍には、たとえば板状のパッキン（低摩擦部材；傷付き防止材）６３１が貼り付けられている（図１３（ａ）参照）。これにより、シールド板５（設置部６０３や庇部１７を除く）がガイド部材５０９や帽体３に接触することがなくなり、シールド板５が収納位置Ｐ１と被覆位置Ｐ３との間を小さい摩擦抵抗で移動できると共に、帽体３の着用者の視界に入るシールド板５の部位５１０に傷が付くことが防止される。
【０１２６】
なお、図２１（ａ）や図２２（ａ）で網掛けしてある部位５１０は、ＡＮＳＩ規格での光学特性範囲（保護帽１の着用者がシールド板５を通して物を見るために、光学特性が良好である範囲）である。
【０１２７】
ガイド部材５０９の中央部に設けられているパッキン６３１Ａは、「コ」字状に形成されており、中央の長円状の貫通孔５３５を挟むようにして、ガイド部材５０９の下端から上端に向かって、他のパッキン６３１よりも長く設けられている。これにより、シールド板５への傷付きを一層確実に防止することができる。
【０１２８】
ガイド部材５０９の中央部位５２７に設けられている長円状の各貫通孔５３５，５３７，５３９と、これらの貫通孔５３５，５３７，５３９のまわりに形成されている凹部６２５と、ガイド部材係止部５８７との位置関係についてより詳しく説明する。
【０１２９】
ガイド部材係止部５８７は、前述したように、また、図１８（ｂ）で示すように４箇所に設けられている。最も左側に位置しているガイド部材係止部５８７Ａは、第２の半円状端部曲線５３１の延伸方向で、左側の中央部位係合部５６１Ａと左側の貫通孔５３７との間のほぼ中央に位置しており、次に左側に位置しているガイド部材係止部５８７Ｂは、第２の半円状端部曲線５３１の延伸方向で、左側の貫通孔５３７の凹部６２５に隣接して、左側の貫通孔５３７と中央の貫通孔５３５との間に位置している。また、右側に位置している２つのガイド部材係止部５８７Ｃ，５８７Ｄは、ガイド部材５０９の中心を通り上下前後方向に展開している平面に対して、右側のガイド部材係止部５８７Ａ，５８７Ｂと対称に設けられている。
【０１３０】
このような位置にガイド部材係止部５８７が設けられているので、ガイド部材係止部５８７とガイド部材５０９のガイド部５２３との干渉を避けつつ、ハンモック５１７をガイド部材５０９の適宜の位置に設置することができ、帽体３に加わった外力をハンモック５１７と適切に受けることができる。
【０１３１】
また、帽体係止部５８５のうちでもっとも左側に設けられている係止部５８５Ａもしくは次に左側に設けられている係止部５８５Ｂと（図１５（ｃ）参照）、ガイド部材係止部５８７のうちでもっとも左側に設けられている係止部５８７Ａと（図１８（ｂ）参照）に、耳紐（あご紐）５１５の被係止部６３３を係合させて、さらに、帽体係止部５８５のうちでもっとも右側に設けられている係止部５８５Ｄもしくは次に右側に設けられている係止部５８５Ｃと（図１５（ｃ）参照）、ガイド部材係止部５８７のうちでもっとも右側に設けられている係止部５８７Ｄと（図１８（ｂ）参照）に、別の耳紐（あご紐）５１５の被係止部６３３を係合させて、各あご紐５１５を帽体３やガイド部材５０９の適宜の位置に設置することができ、保護帽１の着用者が違和感なく保護帽１を着用し着用者の頭部に各あご紐５１５を用いて保護帽１を固定することができる。
【０１３２】
なお、すでに理解されるように、帽体係止部５８５が帽体３の後側に設けられており、ガイド部材５０９が帽体３の前側に設けられているので、帽体係止部５８５はガイド部材係止部５８７よりも後側に位置している。
【０１３３】
あご紐５１５の被係止部６３３を帽体係止部５８５やガイド部材係止部５８７に係合させた後、ハンモック５１７の被係止部５８９を帽体係止部５８５やガイド部材係止部５８７に係合させることにより、あご紐５１５（被係止部６３３）やハンモック５１７（被係止部５８９）が、帽体３やガイド部材５０９に一体的に設置されるようになっている。なお、ハンモック５１７は、帽体３やガイド部材５０９に対して容易に着脱自在になっており、一旦設置されたハンモック５１７は、帽体３やガイド部材５０９から容易には外れないようになっている。
【０１３４】
さらに、保護帽１では、ガイド部材５０９の各側方部位５４１，５４３とあご紐５１５の被係止部６３３とが、帽体３とハンモック５１７の被係止部５８９とで挟まれて、帽体３に一体的に設置されている（図１１（ｂ）参照）。
【０１３５】
保護帽１によれば、ガイド部材５０９が球面状の曲面を備えて板状に形成された中央部位５２７を備えており、ガイド部５２３が中央部位（たとえば、幅方向で中央部位５２７の中央寄り）５２７に形成されているので、いわゆるナローガイドが形成されていることになり、ガイド部５２３を中央部位５２７の側方側（幅方向における各端部側）に設けた場合に比べて、シールド板５の出し入れ（収納位置Ｐ１と被覆位置Ｐ３との間での移動）をスムーズに行うことができる。
【０１３６】
また、保護帽１によれば、ガイド部材５０９が中央部位５２７と各側方部位５４１，５４３とを備えて構成されており、各側方部位５４１，５４３の近傍で中央部位５２７に形成されている一対の中央部位係合部５６１（５６１Ａ，５６１Ｂ）が帽体３に設けられている一対の中央部位被係合部５６３に係合し、各側方部位５４１，５４３に形成されている側方部位係合部５６５，５６９が帽体３に形成されている側方部位被係合部５６７，５７１に係合しているので、シールド板５を出し入れする場合において、帽体３に対するガイド部材５０９のがたつきを少なくすることができる。
【０１３７】
すなわち、シールド板５を出し入れする場合、ガイド部材５０９でシールド板５をガイドしているので、帽体３の幅方向に延びている軸Ｃ１を中心とした回転モーメントがガイド部材５０９にかかり、この回転モーメントがガイド部材５０９から帽体３に伝わるのであるが、帽体３の中央部位被係合部５６３に係合しているガイド部材５０９の中央部位係合部５６１が支点になり、帽体３の側方部位被係合部５６７，５７１に係合しているガイド部材５０９の側方部位係合部５６５，５６９が回転モーメントを受けるので、上記がたつきを少なくすることができる。
【０１３８】
また、ガイド部材５０９の側方部位係合部５６５，５６９を、左側に２箇所、右側に２箇所に設けてあるので、がたつきを一層少なくすることができる。さらに左側の２つの側方部位係合部５６５のうちの後側の側方部位係合部（貫通孔５８１）と、右側の２つの側方部位係合部５６５のうちの後側の側方部位係合部（貫通孔５８１）とが、帽体３の後端部の近傍に位置しているので、支点となる中央部位係合部５６１と後側の側方部位係合部５６５との間の距離が大きくなっており、がたつきをさらに一層少なくすることができる。
【０１３９】
さらに、保護帽１によれば、ガイド部材５０９のガイド部５２３が３つの長円状の貫通孔５３５，５３７，５３９で構成されており、シールド板５の係合部５２５が３つの円柱状の部位５９５で構成されており、円柱状の部位５９５のそれぞれが、３つの貫通孔５３５，５３７，５３９のそれぞれに係合することによりシールド板５がガイドされて、収納位置Ｐ１と被覆位置Ｐ３との間で移動するように構成されているので、簡素な構成で、ガイド部材５０９に対するシールド板５のがたつきを小さくしつつ、シールド板５がガイド部材５０９に対してスムーズに移動するようになっている。
【０１４０】
ここで、シールド板５について、図２５、図２６、図２７等を参照しつつより詳しく説明する。
【０１４１】
図２５における参照符号Ｏ２は、円弧状に見えるシールド板５の本体部１１の中心であり、前述したように、図１０で示す中心（帽体３の開口部９の中心）Ｏ１よりも１０ｍｍ〜５０ｍｍ程度（たとえば３０ｍｍ程度）前方に位置している。
【０１４２】
図８で示すような帽体３の開口平面ＰＬを想定する。開口平面ＰＬは、帽体３単体を、開口部９を下にし頂上部を上にして平面に載置したときに、帽体３の姿勢が安定する前記平面である。すなわち、開口平面ＰＬに帽体３を載置すると、帽体３の開口部９の縁（縁の複数箇所）が開口平面ＰＬに接触して帽体３の姿勢が安定する。
【０１４３】
図２５〜図２７で示すＸＹ平面ＰＸＹとは、帽体３の開口平面ＰＬに平行な平面であって、ガイド部材５０９の最も前方の下端（前端）を通る平面である。ＸＹ平面ＰＸＹは、帽体３の開口平面ＰＬに対して１０ｍｍ〜３０ｍｍ程度（たとえば２５ｍｍ程度）上方に位置している（図８参照）。また、ＸＹ平面ＰＸＹは、前後左右方向に展開している。
【０１４４】
ＹＺ平面ＰＹＺは、ＸＹ平面ＰＸＹに直交する平面であって、中心Ｏ２を通り、上下前後方向に展開している平面である。Ａ−Ａ断面は、ＹＺ平面ＰＹＺによる断面である。シールド板５の本体部１１とＸＹ平面ＰＸＹとＹＺ平面ＰＹＺとが交わる点を点ＰＡ１としてあり、ＸＹ平面ＰＸＹとＹＺ平面ＰＹＺとに直交する平面であって点ＰＡ１を含む平面をＸＺ平面ＰＸＺとしてある。
【０１４５】
図２５（ｂ）には、ＹＺ旋回平面ＰＹＺＢ，ＰＹＺＣ，ＰＹＺＤ，ＰＹＺＥ，ＰＹＺＦを示してある。ＹＺ旋回平面ＰＹＺＢは、図２５（ｂ）において、ＹＺ平面ＰＹＺを中心Ｏ２にして１５°旋回（回転）した平面である。ＹＺ旋回平面ＰＹＺＣは、図２５（ｂ）において、ＹＺ平面ＰＹＺを中心Ｏ２にして３０°旋回した平面である。ＹＺ旋回平面ＰＹＺＤは、図２５（ｂ）において、ＹＺ平面ＰＹＺを中心Ｏ２にして４５°旋回した平面である。ＹＺ旋回平面ＰＹＺＥは、図２５（ｂ）において、ＹＺ平面ＰＹＺを中心Ｏ２にして６０°旋回した平面である。ＹＺ旋回平面ＰＹＺＦは、図２５（ｂ）において、ＹＺ平面ＰＹＺを中心Ｏ２にして６９°旋回した平面である。
【０１４６】
断面Ｂ−Ｂ〜断面Ｆ−Ｆは、各ＹＺ旋回平面によるシールド板５の断面である。シールド板５の本体部１１とＸＹ平面ＰＸＹと各ＹＺ旋回平面とが交わる点を点ＰＢ１〜ＰＦ１としてある。ここで、図２５（ｂ）では、線分Ｏ２−ＰＡ１と線分Ｏ２−ＰＢ１と線分Ｏ２−ＰＣ１と線分Ｏ２−ＰＤ１と線分Ｏ２−ＰＥ１と線分Ｏ２−ＰＦ１とはお互いが等しくなっている。
【０１４７】
ＸＹ平面ＰＸＹと旋回ＹＺ平面ＰＹＺＢとに直交する平面であって点ＰＢ１を含む平面を旋回ＸＺ平面ＰＸＺＢとしてあり、ＸＹ平面ＰＸＹと旋回ＹＺ平面ＰＹＺＣとに直交する平面であって点ＰＣ１を含む平面を旋回ＸＺ平面ＰＸＺＣとしてあり、ＸＹ平面ＰＸＹと旋回ＹＺ平面ＰＹＺＤとに直交する平面であって点ＰＤ１を含む平面を旋回ＸＺ平面ＰＸＺＤとしてあり、ＸＹ平面ＰＸＹと旋回ＹＺ平面ＰＹＺＥとに直交する平面であって点ＰＥ１を含む平面を旋回ＸＺ平面ＰＸＺＥとしてあり、ＸＹ平面ＰＸＹと旋回ＹＺ平面ＰＹＺＦとに直交する平面であって点ＰＦ１を含む平面を旋回ＸＺ平面ＰＸＺＦとしてある。
【０１４８】
図２５では、図の形態が煩雑になることを防止するために、各ＸＺ旋回平面のうちの１つの旋回ＸＺ平面ＰＸＺＤのみを表示してある。
【０１４９】
シールド板５は、前述したように、着用者の頭部を保護する帽体３に設置されて着用者の顔面を覆うものであり、透明体もしくは半透明体で湾曲した板状に形成された本体部１１と、この本体部１１の下方で本体部１１とは反対側に曲がって突出している庇部（着用者の斜め前下方に本体部１１から突出している折り返し部）１７とを備えて構成されている。
【０１５０】
また、本体部１１は、前方に凸な球殻状に形成されており、上下方向の寸法が、左右方向の中央部で最も長くなっており、上下方向の寸法が、左右方向の端部に向かうにしたがって次第に小さくなっている。
【０１５１】
たとえば、図２６、図２７で示すように、ＸＹ平面ＰＸＹとシールド板５の本体部１１の下端との間における上下方向の寸法が、Ａ−Ａ断面では、１４３ｍｍ程度になっており、Ｂ−Ｂ断面では、１４２ｍｍ程度になっており、Ｃ−Ｃ断面では、１３８ｍｍ程度になっており、Ｄ−Ｄ断面では、１３２ｍｍ程度になっており、Ｅ−Ｅ断面では、１１８ｍｍ程度になっており、Ｆ−Ｆ断面では、１１１ｍｍ程度になっている。また、上下方向の寸法が減少する割合が次第に大きくなっている。
【０１５２】
また、シールド板５では、帽体３の開口平面ＰＬ（ＸＹ平面ＰＸＹ）とシールド板５の庇部１７との交差角度が、４５°以上９０°未満になっている。換言すれば、シールド板５の庇部１７と、各ＸＺ旋回平面との交差角度（ＸＹ平面ＰＸＹとシールド板５の庇部１７との交差角度の補角）が、０°よりも大きく４５°以下になっている。
【０１５３】
さらに説明すると、帽体３の開口平面ＰＬ（ＸＹ平面ＰＸＹ）とシールド板５の庇部１７との交差角度が、ＹＺ平面ＰＹＺのところでは（断面Ａ−Ａでは）、５５°程度（たとえば５４．９°）になっており、断面Ｂ−Ｂでは、５５°程度（たとえば５５．０°）になっており、断面Ｃ−Ｃでは、５５°程度（たとえば５５．３°）になっており、断面Ｄ−Ｄでは、５７°程度（たとえば５６．８°）になっており、断面Ｅ−Ｅでは、５６°程度（たとえば５６．４°）になっており、断面Ｆ−Ｆでは、５２°程度（たとえば５２．２°）になっている。しかし、上記交差角度は上記値に限定されるものではなく、上記交差角度がＡ−Ａ断面〜Ｆ−Ｆ断面において、５０°〜６０°の範囲内になっていてもよく、より広くは、５０°〜７０°の範囲内になっていてもよく、より広くは、４５°〜７０°の範囲内になっていてもよく、更に広くは、上述したように、４５°〜９０°の範囲になっていてもよい。
【０１５４】
シールド板５の庇部１７の突出長さ（本体部１１からの突出長さ）は、シールド板５の左右方向の中央部で最も長くなっており、左右方向の端部に向かうにしたがって次第に小さくなっている。また、シールド板５の庇部１７の突出長さ（シールド板５や庇部１７の左右方向における中央部での、本体部１１からの突出長さ）は、１０ｍｍ〜８０ｍｍになっている。
【０１５５】
たとえば、図２６、図２７で示すように、断面Ａ−Ａにおける庇部１７の突出長さは、４０ｍｍになっており、断面Ｂ−Ｂにおける庇部１７の突出長さは、３９ｍｍになっており、断面Ｃ−Ｃにおける庇部１７の突出長さは、３６ｍｍになっており、断面Ｄ−Ｄにおける庇部１７の突出長さは、２６ｍｍになっており、断面Ｅ−Ｅにおける庇部１７の突出長さは、１７ｍｍになっており、断面Ｆ−Ｆにおける庇部１７の突出長さは、１１ｍｍになっている。また、突出長さが減少する割合が次第に大きくなっている。
【０１５６】
なお、庇部１７の突出長さは、上記値に限定されるものではなく、庇部１７の突出長さが、Ａ−Ａ断面において、４０ｍｍ〜５０ｍｍなっていてもよいし、より広くは、上述したように３０ｍｍ〜８０ｍｍになっていてもよいし、２０ｍｍ〜８０ｍｍになっていてもよい。Ｂ−Ｂ断面において、４０ｍｍ〜５０ｍｍの範囲内になっていてもよく、より広くは、２０ｍｍ〜７０ｍｍの範囲内になっていてもよく、更に広くは、１５ｍｍ〜８０ｍｍの範囲内になっていてもよい。また、庇部１７の突出長さが、Ｃ−Ｃ断面において、３０ｍｍ〜４０ｍｍの範囲内になっていてもよく、より広くは、２０ｍｍ〜６０ｍｍの範囲内になっていてもよく、更に広くは、１５ｍｍ〜６５ｍｍの範囲内になっていてもよい。また、庇部１７の突出長さが、Ｄ−Ｄ断面において、２０ｍｍ〜５０ｍｍの範囲内になっていてもよく、より広くは、１５ｍｍ〜５０ｍｍの範囲内になっていてもよい。なお、庇部１７のＤ−Ｄ断面における突出長さを、１０ｍｍ〜３０ｍｍにしてもよい。また、庇部１７の突出長さが、Ｅ−Ｅ断面において、２０ｍｍ〜４０ｍｍの範囲内になっていてもよく、より広くは、１５ｍｍ〜４５ｍｍの範囲内になっていてもよい。なお、庇部１７のＥ−Ｅ断面における突出長さを、０ｍｍよりも大きく１０ｍｍ以下にしてもよい。また、庇部１７の突出長さが、Ｆ−Ｆ断面において、２０ｍｍ〜３０ｍｍの範囲内になっていてもよく、より広くは、１５ｍｍ〜３５ｍｍの範囲内になっていてもよく、さらに広くは、１０ｍｍ〜３５ｍｍの範囲内になっていてもよい。なお、庇部１７のＦ−Ｆ断面における突出長さを、無くしてもよい。
【０１５７】
また、帽体３の開口平面ＰＬと庇部１７との交差角度は、たとえば前述したように左右方向の中央部では５５°程度であり、左右方向の端部に向かうにしたがって次第に大きくなり５７°程度になった後、次第に小さくなって５２°程度になっている。
【０１５８】
より具体的には、Ａ−Ａ断面では、交差角度が５４．９°になっており、Ｂ−Ｂ断面では、交差角度が５５．０°になっており、Ｃ−Ｃ断面では、交差角度が５５．３°になっており、Ｄ−Ｄ断面では、交差角度が５６．８°になっており、Ｅ−Ｅ断面では、交差角度が５６．４°になっており、Ｆ−Ｆ断面では、交差角度が５２．２°になっている。
【０１５９】
また、シールド板５では、左右方向の中央部およびこの近くの部位では、シールド板５の本体部１１がほぼ上下方向に延びており、左右方向の端部およびこの近くの部位では、シールド板５の本体部１１の下端が外側に位置するように僅かに斜めに延びている。
【０１６０】
すなわち、図２６で示すように、断面Ａ−Ａでは、シールド板５の本体部１１の下端（本体部１１と庇部１７との境界）ＰＡ２が、ＸＺ平面ＰＸＺ上に位置しており、断面Ｂ−Ｂでは、シールド板５の本体部１１の下端ＰＢ２が、ＸＺ旋回平面ＰＸＺＢ上に位置しており、断面Ｃ−Ｃでは、シールド板５の本体部１１の下端ＰＣ２が、ＸＺ旋回平面ＰＸＺＣ上に位置している。
【０１６１】
これに対して、図２７で示すように、断面Ｄ−Ｄでは、シールド板５の本体部１１の下端ＰＤ２が、ＸＺ旋回平面ＰＸＺＤよりも外側（斜め前方）に位置しており、ＸＺ旋回平面ＰＸＺＤとシールド板５との間には、間隙ＳＤが形成されている。また、断面Ｅ−Ｅでは、シールド板５の本体部１１の下端ＰＥ２が、ＸＺ旋回平面ＰＸＺＥよりも外側（斜め前方）に位置しており、ＸＺ旋回平面ＰＸＺＥとシールド板５との間には、間隙ＳＥが形成されており、断面Ｆ−Ｆでは、シールド板５の本体部１１の下端ＰＦ２が、ＸＺ旋回平面ＰＸＺＦよりも外側（斜め前方）に位置しており、ＸＺ旋回平面ＰＸＺＦとシールド板５との間には、間隙ＳＦが形成されている。また、間隙ＳＥは間隙ＳＤよりも大きく、間隙ＳＦは間隙ＳＥよりも大きくなっている。つまり、間隙の値は、シールド板５の側方の向かうほど大きくなっている。
【０１６２】
ところで、図２５〜図２７では、ＹＺ旋回平面やＺＸ旋回平面を断続的にとってあるが、断続的にとられている２つのＹＺ旋回平面やＺＸ旋回平面の間では、シールド板５の形状は、すでに理解されるように、補間されているものとする。
【０１６３】
保護帽１によれば、シールド板５が、本体部１１と本体部１１とは反対側に曲がって突出している庇部１７とを備えて構成されており、帽体３の開口平面ＰＬと庇部１７との交差角度が４５°以上９０°未満になっているので、被覆位置Ｐ３に位置しているシールド板５の本体部１１にぶつかって跳ね返った飛来物がシールド板５の庇部１７で邪魔されて、保護帽１の着用者の首まで届かなくなり、保護帽１の着用者の首（たとえば着用者の着ている上衣で覆われていない首の部位）にぶつかることを防止され、着用者が飛来物から保護される。
【０１６４】
すなわち、シールド板５の本体部１１により顔（正面から見たときの髪の毛の生え際付近から下顎のおとがい部の最下端であるおとがい点までの顔面部分）に飛来物がぶつかることが防止され、着用者が飛来物から保護される。
【０１６５】
また、シールド板５の庇部１７により着用者が作業着等の衣服を着用して覆われている顔から下の胸や腹等（正面から見たときの下顎のおとがい部の最下端であるおとがい点より下の身体部分）に飛来物がぶつかることが防止され、着用者が飛来物から保護される。
【０１６６】
特に、シールド板５の庇部１７により着用者が作業着等の衣服を着用しても覆われず素肌を露出した状態のアゴや首元等（正面から見たときの下顎のおとがい部の最下端であるおとがい点から鎖骨までの前頸部（おとがい下三角、顎三角、頸動脈三角、筋三角、胸鎖乳突筋部、外側頸三角部、後頸部、大鎖骨上窩、小鎖骨上窩、頸切痕等））に飛来物がぶつかることが防止され、着用者が飛来物から保護される。
【０１６７】
また、保護帽１によれば、本体部１１の上下方向の寸法が、本体部１１の左右方向の端部に向かうにしたがって次第に小さくなっており、庇部１７の本体部１１からの突出長さが、左右方向の端部に向かうにしたがって次第に小さくなっている。これにより、被覆位置Ｐ３に位置しているシールド板５の上下方向の寸法が、図２６、図２５の各断面で示すように、左右方向の端部に向かうにしたがって次第に小さくなっている（１８２ｍｍ〜１２１ｍｍになっている）。したがって、シールド板５が被覆位置Ｐ３に位置している保護帽１の着用者が首を横方向に曲げたときであっても、庇部１７が保護帽の着用者の首に当接することが防止され、着用者が不快感を感じることがなくなる。さらに、庇部１７が設けられていることにより、シールド板５の強度が確保されている。
【０１６８】
庇部１７の本体部１１からの突出長さは、左右方向の端部に向かうにしたがって次第に小さくなっているが、顔の下半分の輪郭（正面から見たときの下顎体と下顎枝からなる下顎骨の輪郭）に合わせるように突出長さを左右方向の端部に向かうにしたがって次第に小さくしているため、着用者に飛来物がぶつかることが防止され、着用者が飛来物から保護される。
【０１６９】
また、保護帽１によれば、帽体３の開口平面ＰＬと庇部１７との交差角度を５２°〜５７°程度にすることにより、シールド板５が被覆位置Ｐ３に位置している保護帽１を着用した着用者の視界が良好になる。すなわち、シールド板５が被覆位置Ｐ３に位置している保護帽１の着用者が視線を庇部１７のほうに（斜め下方に）うつったとき、庇部１７の厚さ方向の両面の展開方向が視線の方向とほぼ一致しているので、着用者の目には、庇部１７が最小もしくはこれに近い状態に映る。そして、着用者の視界が良好になるのである。
【０１７０】
また、保護帽１によれば、帽体３の開口平面ＰＬと庇部１７との交差角度が、左右方向の中央部では５５°程度であり、左右方向の端部に向かうにしたがって次第に大きくなり５７°程度になった後、次第に小さくなって５２°程度になるので、交差角度がたとえば５５°程度で一定になっている場合に比べて、庇部１７がやや平面に近い形状になっている。そして、被覆位置Ｐ３に位置しているシールド板５の本体部１１にぶつかって跳ね返った飛来物がシールド板５の庇部１７にぶつかったとき、交差角度が５５°程度で一定になっている場合に比べてシールド板５の前方に跳ね返る。これにより、飛来物が保護帽１の着用者の肩等にぶつかることを一層確実に防止することができる。
【０１７１】
なお、左右方向の端部でシールド板５の上下方向の寸法が短いので、左右方向の端部側でシールド板にぶつかはねかえった飛来物が着用者にぶつかるおそれが高くなる。しかし、上述したように、左右方向の端部およびこの近くの部位では、シールド板５の本体部１１の下端が外側に位置するように、本体部１１が僅かに斜めに延びているので、被覆位置Ｐ３に位置しているシールド板５の本体部１１にぶつかって跳ね返った飛来物が、本体部１１が上下方向に延びている場合に比べて、シールド板５の前側やや上方に跳ね返る。これにより、飛来物が保護帽１の着用者の胴部や脚等にぶつかることを確実に防止することができる。
【０１７２】
ここで、保護帽１の試験結果について説明する。
【０１７３】
試験は、図２８に示すように、人頭模型ＰＭ（図３０参照）、保護帽１、シールド板（被覆位置に存在しているシールド板５）５、スプレー缶ＳＰＹを配置し、シールド板５に向けて、水性塗料を１０秒間噴射して行った。人頭模型として、ＪＩＳＴ８１５１に記載の航空医学実験隊「航空自衛隊員の身体測定値―装備品等設計のための人間工学的資料―」（１９７２）による寸法の試験用人頭を使用した。スプレーとして、株式会社アサヒペンのクリエィティブカラースプレーグロス（ツヤあり）６６フレッシュグリーンを使用した。
【０１７４】
図２８で示す参照符号ＨＬは、水平線を示しており、参照符号ＶＬは鉛直線を示しており、参照符号ＳＰＢは、塗料の噴射領域を概略的に示している。
【０１７５】
試験結果を図２９で示す。図２９の突出長さは、本体部１１からの庇部１７の突出長さであり、図２９の交差角度は、帽体３の開口平面ＰＬ（ＸＹ平面ＰＸＹ）とシールド板５の庇部１７との交差角度である。
【０１７６】
図２９で示す○印は、人頭の模型ＰＭの顔面部や頭部と首の部分に塗料の付着がなかったものである。○印であれば、人頭模型ＰＭの顎部を含む顔面と顔面以外の頭部（首よりも上の部分）とに塗料が付着しなかったので、十分に目的を達成することができる。
【０１７７】
図２９で示す△印は、人頭の模型ＰＭの顔面部や頭部と首の大部分に塗料の付着がなかったものである。ただし、首の付け根（首と胴体との境界とこの近傍の部位）に塗料の付着があったものである。△印のものは、使用を差し控えるべきである。
【０１７８】
図２９で示す×印は、人頭の模型ＰＭの顎部や首に塗料の付着があったものであり、使用を当然に差し控えるべきである。
【０１７９】
なお、図２９では、突出長さとして、中央部の突出長さしか示していないが、中央部の突出長さが８０ｍｍのものでは、左右方向の両端部における突出長さが、たとえば、３５ｍｍになっており、中央部の突出長さが７０ｍｍのものでは、左右方向の両端部における突出長さが、たとえば３５ｍｍになっており、中央部の突出長さが４０ｍｍのものでは、左右方向の両端部における突出長さが、たとえば３５ｍｍになっており、中央部の突出長さが３０ｍｍのものでは、左右方向の両端部における突出長さが、たとえば
１０ｍｍになっており、中央部の突出長さが２０ｍｍのものでは、左右方向の両端部における突出長さが、たとえば１０ｍｍになっているものとする。
【符号の説明】
【０１８０】
１  保護帽
３  帽体
５  シールド板
１１  本体部
１７  庇部
ＰＬ  開口平面
【図１】
2012015035.tif 000003
【図２】
2012015035.tif 000004
【図３】
2012015035.tif 000005
【図４】
2012015035.tif 000006
【図５】
2012015035.tif 000007
【図６】
2012015035.tif 000008
【図７】
2012015035.tif 000009
【図８】
2012015035.tif 000010
【図９】
2012015035.tif 000011
【図１０】
2012015035.tif 000012
【図１１】
2012015035.tif 000013
【図１２】
2012015035.tif 000014
【図１３】
2012015035.tif 000015
【図１４】
2012015035.tif 000016
【図１５】
2012015035.tif 000017
【図１６】
2012015035.tif 000018
【図１７】
2012015035.tif 000019
【図１８】
2012015035.tif 000020
【図１９】
2012015035.tif 000021
【図２０】
2012015035.tif 000022
【図２１】
2012015035.tif 000023
【図２２】
2012015035.tif 000024
【図２３】
2012015035.tif 000025
【図２４】
2012015035.tif 000026
【図２５】
2012015035.tif 000027
【図２６】
2012015035.tif 000028
【図２７】
2012015035.tif 000029
【図２８】
2012015035.tif 000030
【図２９】
2012015035.tif 000031
【図３０】
2012015035.tif 000032
【国際調査報告】
2012015035.tif 000033
2012015035.tif 000034